(57)【要約】【課題】腕章の径より小径の輪ゴム紐状の弾性帯の二ヶ所又は複数ヶ所を連結することによって腕の太さに関係なく着用できるように構成した腕章と、この腕章を収納すると共に、反射機能を設けた収納袋を一組とした袋付き交通安全用腕章を提供する。【解決手段】表面に反射機能を施し、所定巾で所定径の腕章１の内側中央部に前記腕章１より小径で細い巾の弾性帯２を、内側の二カ所又は複数カ所の固定部３、３ａ…に接するように接着し、外周の一部に下げ具４を取り付け、これとは別に前記腕章１を収納する袋で、外面の一部又は所定部分に反射機能を施した収納袋を一組としたことを特徴とする。【選択図】　　　　　図１
2004133369.tif 000002
【特許請求の範囲】
【請求項１】
表面に反射機能を施し、所定巾で所定径の腕章の内側中央部に前記腕章より小径で細い巾の弾性帯を内側の二ヶ所又は複数ヶ所に接するように接着し、外周の一部に下げ具を取り付けた腕章と、これとは別に前期腕章を収納する袋で、外面の一部又は所定部分に反射機能を施した収納袋を一組としたことを特徴とする収納袋付き交通安全用腕章。
【発明の詳細な説明】
【０００１】
【発明の属する技術分野】
本発明は表面に反射機能を施した腕章の内側にゴム紐状の弾性帯を取り付けることによって腕の太さの異なる人でも容易に装着でき、表面の一部に下げ具を取り付けることによって腕以外のところにピンやクリップを利用して取り付けることができるようにし、別途設けた反射機能付き袋に収納し、袋自体も安全機能を発揮する収納袋付き交通安全用腕章に関するものである。
【０００２】
【従来の技術】
従来、身辺に取り付ける安全用具として表面に反射機能を施したワッペン、襷、リボン等数多く提供され、ワッペンは衣服の袖や胸、帽子、バッグ等に貼付することによって薄暮から夜間時に於ける歩行中の安全を図り、襷は主として夜間作業を行なう場合、肩に斜め又はＸ状に掛けて使用し、リボンもワッペンと同様に衣服の袖や胸、帽子、バッグ等の身辺具に取り付けられている。
【０００３】
【発明が解決しようとする課題】
しかし、これらの反射機能を有する安全用具は襷掛けに使用する場合を除いて何れも安全ピンやクリップを利用して取り付けなければならないため、老令者や低年令者には取り付けにくい欠点があった。
腕章は着用する人の腕の太さにかなりの差があるため、その太さに合わせ、大きさの異なる腕章を用意しなければならなかった。
本発明は腕章の内側に、腕章の径より小径の輪ゴム紐状の弾性帯の二ヶ所又は複数ヶ所を連結することによって腕の太さに関係なく着用できるように構成した腕章と、この腕章を収納する反射機能を設けた袋を一組とした収納袋付き交通安全用腕章を提供することを目的とする。
【０００４】
【課題を解決するための手段】
上記目的を達成するため本発明は、表面に反射機能を施し、所定巾で所定径の腕章１の内側中央部に前記腕章１より小径で細い巾の弾性帯２を、内側の二ヶ所又は複数ヶ所の固定部３、３ａ…に接するように接着し、外周の一部に下げ具４を取り付け、これとは別に前記腕章１を収納する袋で、外面の一部又は所定部分に反射機能を施した収納袋５を一組としたものである。
【０００５】
【発明の実施の形態】
以下、本発明の実施の形態を図面に基づいて説明する。
【０００６】
図１は本発明の腕章の斜視図、図２は腕章の平面図、図３は腕章の正面図、図４は図３に於ける１ＩＶ−ＩＶ断面図、図５は図２に於けるＶ−Ｖ断面図、図６は収納袋の斜視図で、図７は本発明の使用状態を示した図である。
【０００７】
１は表面に反射機能（光が当たると反射したり蓄光する塗料を塗布）を施した布又は不織布等を所定巾の筒状に形成した腕章で、薄暮又は夜間時にわずかな光でも鮮明に反射し、自動車を運転する人や自転車で走行する人の目につきやすく未然に交通事故を防ぐ効果がある。
【０００８】
２は前記腕章より巾の狭いゴム紐、ゴムバンド等からなる腕章１より小径で、腕に装着した際、腕を軽く締め付ける程度の輪状の弾性帯で、図２に示したように弾性帯２の対峙する二ヶ所又は複数ヵ所を腕章１の内側中央部の連結部３、３ａ…で接着又は縫製手段で連結され、腕章１は弾性帯２にを介して腕に取り付けられているので、腕の太さが異なっていても弾性帯の伸縮性によって腕章は確実に保持される。
【０００９】
固定部３、３ａは特定の部位に設けるものではなく、又二ヶ所に限定されるものではないが、弾性帯２の伸縮性や腕章１の安定を考えた場合、複数カ所を連結することも考えられる。
【００１０】
４は腕章１の外周の適所に設けられている下げ具で、この下げ具４は腕章以外のバッグ、手提げ等に取り付ける際に利用するもので、実際に取り付ける場合は安全ピンやクリップ等を利用して取り付ける。
【００１１】
５は使用しない交通安全用腕章を収納する収納袋で、布、ビニール、不織布等を利用して作られ、開口部の内側には面ファスナー５ａが設けられており、袋全体又は一部に反射機能を施すことによって収納袋自体にも安全機能を持たせたもので、例えば、腕章１を取り出した後、収納袋５を背負バッグ、手提鞄等に下げ具６を利用して取り付けておけば腕章と合わせて安全効果が一層高くなる。
【００１２】
下げ具６の輪状になった折返し部分に安全ピン、クリップ等を取り付けでおくと、下げ具６のみでは取付け不可能な部位でも袋を取り付けることができる。
【００１３】
７は収納袋５の表面に交通安全に関わる語句、標語等を表示する表示部で、この表示部７の表示によって注意を喚起させるようにしたものである。
袋全体に交通安全にかかるイラスト等を表示して反射機能を施すことも可能で、高い効果が期待できる。
【００１４】
上記のように構成した本発明を実際に使用する場合は次のようになる。
収納袋５から腕章を取り出し、左右何れかの腕に弾性帯を挿通し、適当な部位（二の腕辺りが適当）に固定させる。
このように取り付けると伸縮性によって着用する人の腕の太さに関係なく弾性帯は上着の袖の上から適当に締め付ける状態で固定される。
従って固定部を介して弾性帯の外周に連結されている腕章も腕の太さに関係なく一定の状態で腕に取り付けられる。
【００１５】
腕章１を取り出した後の収納袋５は下げ具６を利用して手提げに取り付けたり買い物を入れて手にさげていると袋に施された反射機能によって事故防止の役を果たす。
表面に反射機能を施した素材は様々な形に工夫形成し、ピン、クリップ等の取り付け用具を利用して身辺に取り付けることによって巾広い安全用具となる。
【００１６】
【発明の効果】
上記のように構成された本発明には次のよう効果がある。
ａ．弾性帯に腕を通す簡単な操作で腕章を取り付けることができる。
ｂ．輪状のゴム紐のような伸縮自在の弾性帯を利用して腕に取り付けるので、腕の太さが違っても取り付けることができる。
ｃ．従来のようにピンやクリップを使って腕章を取り付けるわずらわしさがないので、老齢者でも幼児でも自分で取り付けことができる。
ｄ．収納袋にも反射機能を施してあるので、収納袋も安全用具として利用することができる。
ｅ．腕章としてではなく他に使用する場合、例えば手提げ、背負いカバン、帽子等に取り付ける場合は、腕章の外周に設けられている下げ具に安全ピン、クリップ、紐等を使えば簡単に取り付けることができる。
【図面の簡単な説明】
【図１】本発明の斜視図である。
【図２】本発明の平面図である。
【図３】本発明の正面図である。
【図４】図３におけるＩＶ−ＩＶ断面図である。
【図５】図２におけるＶ−Ｖ断面図である。
【図６】収納袋の斜視図である。
【図７】本発明の使用状態を示した図である。
【符号の説明】
１　腕章
２　弾性帯
３　固定部
３ａ　固定部
４　下げ具
５　収納袋
５ａ　面ファスナー
６　下げ具
７　表示部
【図１】
2004133369.tif 000003
【図２】
2004133369.tif 000004
【図３】
2004133369.tif 000005
【図４】
2004133369.tif 000006
【図５】
2004133369.tif 000007
【図６】
2004133369.tif 000008
【図７】
2004133369.tif 000009